(57)【要約】【課題】腰痛を予防することができると共に、腰痛を緩和させることが可能な骨盤矯正器を提供する。【解決手段】一形態に係る骨盤矯正器は、使用者Ｍの背中Ｍ２に接触した状態で使用される骨盤矯正器１である。骨盤矯正器１は、使用者Ｍの左右一対の腸骨Ｂ１に使用者Ｍの前側から当接する一対の前側当接部５ｆと、使用者Ｍの背中Ｍ２に後側から当接するエアバッグ８と、を備え、一対の前側当接部５ｆは、骨盤矯正器１を使用している使用者Ｍから見て左右方向に並んで設けられ、エアバッグ８は、左右方向における一対の前側当接部５ｆの間に設けられており、エアバッグ８は、前側当接部５ｆに対して前方に使用者Ｍの身体を押圧する。【選択図】図１
2017119101.tif 000002
【特許請求の範囲】
【請求項１】
使用者の背中に接触した状態で使用される骨盤矯正器であって、
前記使用者の左右一対の腸骨に前記使用者の前側から当接する一対の前側当接部と、
前記使用者の背中に後側から当接する後側当接部と、を備え、
前記一対の前側当接部は、前記骨盤矯正器を使用している前記使用者から見て左右方向に並んで設けられ、
前記後側当接部は、前記左右方向における前記一対の前側当接部の間に設けられており、
前記一対の前側当接部及び前記後側当接部の少なくとも一方は、他方に対して近づく方向に前記使用者の身体を押圧する、
骨盤矯正器。
【請求項２】
前記使用者の臀部が乗せられる座面を備え、
前記使用者の臀部が前記座面に乗せられた状態で使用される、
請求項１に記載の骨盤矯正器。
【請求項３】
前記後側当接部は、平面視において、前記一対の前側当接部同士を結ぶ線分の垂直二等分線を含む位置に設けられている、
請求項１又は２に記載の骨盤矯正器。
【請求項４】
前記座面に対する前記後側当接部の上端の高さは、前記座面に対する前記前側当接部の上端の高さよりも高い、
請求項２に記載の骨盤矯正器。
【請求項５】
前記一対の前側当接部を含むと共に、前記使用者の身体の前側部分に接触して前記左右方向に延びるベルトを備え、
前記ベルトの前記身体に接触する部位は、柔軟性素材によって構成されており、
前記後側当接部は、前記ベルトに対して前方に前記使用者の身体を押圧する、
請求項１〜４のいずれか一項に記載の骨盤矯正器。
【請求項６】
前記一対の前側当接部及び前記後側当接部の少なくとも一方は、エアバッグである、
請求項１〜５のいずれか一項に記載の骨盤矯正器。
【発明の詳細な説明】
【技術分野】
【０００１】
本発明は、使用者の背中に接触して使用者の骨盤を矯正する骨盤矯正器に関する。
【背景技術】
【０００２】
骨盤を矯正する骨盤矯正器としては種々のものが知られている。特開２０１５−６２４４号公報には、使用者の腰に後方から当接される腰クッション部と、使用者から見て左右両側に位置すると共に使用者の脇腹を左右両側から押さえる左右骨盤サポート部と、を備えた着座姿勢矯正用及びトレーニング用の用具が記載されている。
【０００３】
この用具では、左右骨盤サポート部によって使用者の骨盤及び脇腹を左右方向から包み込むと共に、使用者の腹部に圧迫をかけないようにして使用者の座位の姿勢を安定させている。左右骨盤サポート部の高さ及び腰クッション部の高さは、共に調節可能となっている。また、この用具では、骨盤及び脇腹を包み込むと共に左右方向から骨盤及び脇腹を押圧することによって、使用者の交感神経を刺激して使用者の体温を上昇させ、これによりダイエット効果の発揮を狙っている。
【先行技術文献】
【特許文献】
【０００４】
【特許文献１】特開２０１５−６２４４号公報
【発明の概要】
【発明が解決しようとする課題】
【０００５】
前述したような骨盤矯正器では、使用者の骨盤を矯正することによって、ぎっくり腰等の腰痛を予防すると共に、腰痛を緩和することが求められている。ここで、人間の骨盤としては、人間の身体の左右方向中央部に位置する仙骨と、仙骨の左右両側に位置する一対の腸骨と、各腸骨から身体の下方に延びると共に骨盤の下端を構成する一対の坐骨と、が含まれている。上記の一対の腸骨は、一対の仙腸関節を介して中央の仙骨に連結されており、一対の腸骨は、仙骨を中央部とした蝶形に形成されている。
【０００６】
腰痛の予防及び腰痛の緩和には、仙骨に対して一対の腸骨を開閉し、仙腸関節を動かすことが有効である。しかしながら、人間の普段の生活においては、一対の腸骨が閉じていることが多く腸骨の開閉は殆ど行われないので、仙腸関節はあまり動かない。このように普通に生活していると仙腸関節は殆ど動かないので、仙腸関節の周囲の筋肉が硬直し、この筋肉の硬直が骨盤の歪みを引き起こす原因となる。
【０００７】
また、前述した公報に記載されている用具では、骨盤及び脇腹を左右方向から押圧しており、これにより使用者の筋肉を動かすことはできる。しかしながら、骨盤及び脇腹を左右方向から押圧する場合には、筋肉は動かせるものの一対の腸骨を閉じる方向に力が働くので、腸骨を動かすことはできていない。すなわち、前述の用具では、筋肉が寄せられるだけで骨盤を十分に動かせないので、根本的な腰痛の問題を解決することはできない。従って、腰痛を確実に予防すると共に腰痛を緩和させることが可能な骨盤矯正器が求められている。
【０００８】
本発明は、腰痛を予防することができると共に、腰痛を緩和させることが可能な骨盤矯正器を提供することを目的とする。
【課題を解決するための手段】
【０００９】
本発明に係る骨盤矯正器は、使用者の背中に接触した状態で使用される骨盤矯正器であって、使用者の左右一対の腸骨に使用者の前側から当接する一対の前側当接部と、使用者の背中に後側から当接する後側当接部と、を備え、一対の前側当接部は、骨盤矯正器を使用している使用者から見て左右方向に並んで設けられ、後側当接部は、左右方向における一対の前側当接部の間に設けられており、一対の前側当接部及び後側当接部の少なくとも一方は、他方に対して近づく方向に使用者の身体を押圧する。
【００１０】
この骨盤矯正器では、使用者の腸骨に前側から左右一対の前側当接部が当接すると共に、使用者の背中に後側当接部が当接し、これらの当接によって、使用者の一対の腸骨と背中との相対位置が固定される。また、一対の前側当接部及び後側当接部の少なくとも一方は、他方に対して近づく方向に使用者の身体を押圧する。従って、後側当接部により背中の位置が固定された状態で腸骨が後側に押圧されるか、前側当接部により腸骨の位置が固定された状態で背中が前側に押圧されるか、又は、後側当接部が背中を前側に押圧すると共に前側当接部が腸骨を後側に押圧する。このように、腸骨の後側への押圧、及び、背中の前側への押圧の少なくとも一方が行われるので、これらの押圧動作によって一対の腸骨を開かせることができる。よって、普段あまり開閉することがない一対の腸骨を積極的に開閉し、これに伴い仙腸関節を積極的に動かすことができる。従って、仙腸関節周辺の筋肉の硬直を防止することができるので骨盤の歪みを回避することができる。更に、仙腸関節を積極的に動かすことにより骨盤の歪みを矯正することができるので、腰痛を緩和させることもできる。
【００１１】
また、この骨盤矯正器は、使用者の臀部が乗せられる座面を備え、使用者の臀部が座面に乗せられた状態で使用されてもよい。この場合、使用者の臀部が座面に乗せられるので、使用者の坐骨の位置を安定させることができる。従って、坐骨を安定させた状態で腸骨又は背中の押圧を行うことができるので、一対の腸骨の開閉をより安定して行うことができ、仙腸関節をより効率よく動かすことができる。また、臀部が座面に乗せられた状態で腸骨又は背中の押圧を行うことにより、身体の個人差の影響を出にくくすることもできる。そして、使用者は、座面に臀部を乗せて座った状態で仙腸関節を動かすことができるので、リラックスした状態で骨盤の矯正を行うことができる。
【００１２】
また、後側当接部は、平面視において、一対の前側当接部同士を結ぶ線分の垂直二等分線を含む位置に設けられていてもよい。この場合、一対の前側当接部と後側当接部との位置関係が二等辺三角形状となり、後側当接部は当該二等辺三角形の頂点を含む位置に配置される。従って、身体の左右方向における背中の中央位置、すなわち仙骨の中央位置を固定した状態で腸骨又は背中の押圧を行えるので、一対の腸骨の開閉をよりスムーズに行うことができる。ゆえに、仙腸関節をより効果的に動かせるので、腰痛の防止及び腰痛の緩和をより確実に行うことができる。
【００１３】
また、座面に対する後側当接部の上端の高さは、座面に対する前側当接部の上端の高さよりも高くてもよい。ところで、背中及び臀部では、下方に向かうほど筋肉及び贅肉が多くなり、上方に向かうほど背骨等の骨が突出している部分が多くなる。従って、前述のように、後側当接部の上端の高さを前側当接部の高さの上端の高さよりも高くすることにより、骨が突出している部分に、より効果的な当接又は押圧を行うことができる。このように骨が突出している部分に当接又は押圧を行うことができるので、一対の腸骨の開閉をより効果的に行うことができ、腰痛の更なる予防及び腰痛の更なる緩和に寄与する。
【００１４】
また、一対の前側当接部を含むと共に、使用者の身体の前側部分に接触して左右方向に延びるベルトを備え、ベルトの身体に接触する部位は、柔軟性素材によって構成されており、後側当接部は、ベルトに対して前方に使用者の身体を押圧してもよい。このように、左右方向に延びるベルトを備え、このベルトを身体の前側部分に接触させることにより、身体の前側部分にかかる圧力を分散させることができる。従って、身体の前側部分で生じうる痛みをより確実に回避することができる。また、後側当接部が前方に使用者の身体を押圧するので、２つの前側当接部が後方に使用者の身体を押圧する場合と比較して、押圧手段の数を減らすことができる。よってコストアップの抑制に寄与する。更に、ベルトの身体に接触する部位が柔軟性素材によって構成されているので、身体の前側部分で生じうる痛みを一層確実に緩和することができる。更に、柔軟性素材が身体に接触することによって、ベルトで身体の前側部分を押さえたときに一層心地よいフィット感を使用者に与えることができる。
【００１５】
また、一対の前側当接部及び後側当接部の少なくとも一方は、エアバッグであってもよい。この場合、エアバッグが使用者に当接するので、当接時における感触を良好にすることできる。また、エアバッグに対するエアの供給及び供給停止をスムーズに行うことができるので、使用者の身体の押圧及び押圧解除を効率よく行うことができる。
【発明の効果】
【００１６】
本発明によれば、腰痛を予防することができると共に、腰痛を緩和させることができる。
【図面の簡単な説明】
【００１７】
【図１】第１実施形態に係る骨盤矯正器の使用状態を示す側面図である。
【図２】（ａ）は、図１の骨盤矯正器を示す平面図である。（ｂ）は、図１の骨盤矯正器を示す正面図である。
【図３】（ａ）は、図１の骨盤矯正器のもみ玉を示す斜視図である。（ｂ）は、図１の骨盤矯正器のもみ玉を示す側面図である。
【図４】図１の骨盤矯正器の内部構造を示すブロック図である。
【図５】身体の骨盤を示す正面図である。
【図６】図１の骨盤矯正器における一対の前側押圧部及び後側押圧部を示す平面図である。
【図７】（ａ）は、第２実施形態に係る骨盤矯正器における一対の前側押圧部及び後側押圧部を示す平面図である。（ｂ）は、前側押圧部の押圧方向を示す図である。
【図８】第３実施形態に係る骨盤矯正器の使用状態を示す側面図である。
【図９】（ａ）は、図８の骨盤矯正器を示す平面図である。（ｂ）は、図８の骨盤矯正器を示す正面図である。
【図１０】図８の骨盤矯正器における一対の前側押圧部及び後側押圧部を示す平面図である。
【発明を実施するための形態】
【００１８】
以下、図面を参照しながら実施形態に係る骨盤矯正器について説明する。以下の説明において、同一又は相当する要素には同一の符号を付し、重複する説明を省略する。
【００１９】
（第１実施形態）
図１に示されるように、本実施形態に係る骨盤矯正器１は、使用者Ｍの臀部Ｍ１が乗せられると共に使用者Ｍの背中Ｍ２がもたれ掛かる椅子型となっており、外観が球形状であってコンパクトな形状とされている。このように、骨盤矯正器１は、全体としてコンパクトな球形状となっているため、小さな部屋の中等の限られたスペースでも快適に用いることが可能である。
【００２０】
ここで、本明細書において、「背中」とは、使用者Ｍの身体の後側部分から頭部、頸部及び下肢を除いた体幹部を示している。この「背中」は、使用者Ｍの頸部の下部から臀部の上部までを含んでいてもよいし、使用者Ｍの胸部の背中側の部分を含んでもよいし、使用者Ｍの腹部又は腰部の背中側の部分を含んでもよいし、使用者Ｍの骨盤の背中側の部分を含んでもよい。
【００２１】
図１及び図２に示されるように、骨盤矯正器１は、もたれ掛かる使用者Ｍの背中Ｍ２及び臀部Ｍ１を支える座部２と、座部２の下部に固定された脚部３と、座部２上に一対に配置された肘掛部４と、を備えている。座部２は、柔軟性を有するクッション材によって構成されており、使用者Ｍの背中Ｍ２及び臀部Ｍ１を包み込む形状とされている。脚部３は、截頭円錐状に形成されており、脚部３の下面３ａは、骨盤矯正器１を安定して配置できるように平坦状とされている。
【００２２】
座部２は、脚部３上に位置すると共に球面状を成す外面２ａと、外面２ａの内側で球面状に形成されると共に使用者Ｍの背中Ｍ２及び臀部Ｍ１を包み込む内面２ｂと、を備える。内面２ｂは、使用者Ｍの臀部Ｍ１が乗せられる座面２ｃと、座面２ｃから上方に湾曲すると共に使用者Ｍの背中Ｍ２がもたれ掛かる背もたれ面２ｄと、を含んでいる。このクッション材で構成された座部２では、座面２ｃに臀部Ｍ１が乗せられると共に、背もたれ面２ｄに背中Ｍ２がもたれかかることによって、使用者Ｍをリラックスさせることが可能となっている。
【００２３】
肘掛部４は、座部２に座っている使用者Ｍから見て左右方向Ｄに一対に設けられており、座部２と同じくクッション材によって構成されている。よって、使用者Ｍは、肘を肘掛部４に置くことによって一層リラックス可能となっている。肘掛部４は、左右方向Ｄにおける座面２ｃの両側の位置にそれぞれ配置されると共に、背もたれ面２ｄに固定されている。また、各肘掛部４の外側面には、凹状の取っ手部４ａが形成されており、左右一対に設けられた２箇所の取っ手部４ａのそれぞれに手を入れることによって骨盤矯正器１を簡単に持ち上げられるようになっている。
【００２４】
図２（ａ）及び図２（ｂ）に示されるように、座部２には、使用者Ｍの位置を固定させる締め付け部材５が設けられており、この締め付け部材５は、座部２の内面２ｂにおける左右方向Ｄの両側部分のそれぞれから伸びる一対の紐状部材５ａと、紐状部材５ａの先端同士を連結するベルト５ｂと、を備えている。
【００２５】
ベルト５ｂは、紐状部材５ａの長さを調整可能な調整部５ｃを左右一対に備えており、この調整部５ｃは、紐状部材５ａを通す孔と、孔を通った紐状部材５ａを止める係止部とを有する。ベルト５ｂは、左右方向Ｄに延びると共に使用者Ｍの身体の前側部分を押さえる。ベルト５ｂは、左右方向Ｄに延びると共に高さ方向にも延びる角部が湾曲した長方形状とされており、身体の前側部分に接触する面積が大きく確保されている。よって、身体の前側部分にかかる圧力が緩和されると共にベルト５ｂのフィット感が良好とされている。
【００２６】
ベルト５ｂは、その表側（使用者Ｍの身体の反対側）に位置する硬質部５ｄと、裏側（使用者Ｍの身体側）に位置するクッション部５ｅとを有する。硬質部５ｄは、例えばプラスチック製となっている。一方、クッション部５ｅは、高いクッション性を有する柔軟性素材によって構成されている。
【００２７】
更に、骨盤矯正器１には、使用者Ｍの身体を揉み解すもみ玉６，７と、使用者Ｍの身体を押圧するエアバッグ８と、が内蔵されている。もみ玉６は、左右方向Ｄに並んで一対に設けられており、各もみ玉６は、座面２ｃにおける使用者Ｍの臀部Ｍ１の後側部分に当たる位置に配置されている。
【００２８】
もみ玉６は、円盤状に形成されており、円形状を成すもみ玉６の上面６ｃは、座面２ｃに対して傾斜している。具体的には、各もみ玉６の上面６ｃは、使用者Ｍの左右方向Ｄ中央側を向くように傾斜している。また、もみ玉７は、座面２ｃにおける使用者Ｍの腿の前側部分に当たるように左右一対に配置されており、各もみ玉７も円盤状に形成されている。各もみ玉７は、もみ玉６のように傾斜しておらず、各もみ玉７の上面７ａは、上方を向いた状態とされている。
【００２９】
図３（ａ）及び図３（ｂ）に示されるように、もみ玉６は、その上面６ｃに２つの突起６ａ，６ｂを有する。突起６ａは、突起６ｂよりも小さい。突起６ａ及び突起６ｂは、共に、もみ玉６の上面６ｃから半球状に突出している。また、もみ玉６は、円形状の上面６ｃの中心を通ると共に上面６ｃに直交する軸線Ｌを中心として周方向に回転する。もみ玉６は、大小異なる突起６ａ，６ｂが使用者Ｍの臀部Ｍ１に下から当接した状態で回転するので、使用者Ｍの大臀筋を奥深くまで効果的にマッサージすることが可能であり、大臀筋を柔らかくすることが可能となっている。
【００３０】
図２に示されるように、もみ玉７も、その上面７ａに３つの半球状の突起７ｂを有する。３つの突起７ｂの大きさは互いに同一となっており、３つの突起７ｂは、上面７ａにおいて正三角形となる位置に配置されている。もみ玉７も、もみ玉６と同様に周方向に回転する。もみ玉７は、３つの突起７ｂが使用者Ｍのハムストリングスに下から当接した状態で回転するので、使用者Ｍのハムストリングスを効果的にマッサージすることが可能であり、ハムストリングスを柔らかくすることが可能となっている。
【００３１】
エアバッグ８は、背もたれ面２ｄに内蔵されている。エアバッグ８は、左右方向Ｄにおける使用者Ｍの中央部分に位置すると共に、使用者Ｍの背中Ｍ２を前側に押圧する機能を有する。エアバッグ８は、その内部にエアが供給されることによって膨張し、その膨張によって使用者Ｍの背中Ｍ２を前側に押圧すると共に、供給されたエアが抜かれることによって収縮し、これによって背中Ｍ２への押圧を解除する。このように、エアバッグ８は、背中Ｍ２の前側への押圧、及びその押圧の解除、を繰り返すことが可能となっている。
【００３２】
前述したもみ玉６，７及びエアバッグ８の動作は、肘掛部４の上面に設けられた操作パネル９によって操作可能となっている。操作パネル９は、座部２に座った使用者Ｍから見て右側に位置する肘掛部４の上面に配置されており、使用者Ｍの手を丁度乗せやすい位置に配置されているので、使用者Ｍが操作を簡単に行えるようになっている。
【００３３】
図４は、骨盤矯正器１に内蔵された各部品を示すと共に、もみ玉６，７及びエアバッグ８を動作させる機能を示すブロック図である。図４において、破線の矢印は電気信号が通る箇所、実線の矢印は駆動力が伝達される箇所、より太い実線の矢印はエアが通る箇所、をそれぞれ示している。図４に示されるように、操作パネル９は、骨盤矯正器１の内部に位置する制御部１０と電気的に接続されており、この制御部１０は、もみ玉６，７への動力供給用のモータ１１と、エアバッグ８へのエア供給用のポンプ１２及びソレノイド１４と、に電気的に接続されている。
【００３４】
モータ１１は、ギヤ１３を介してもみ玉６，７のそれぞれに接続されており、制御部１０から電気信号が入力されることによって駆動する。この駆動力がギヤ１３を介してもみ玉６，７に伝達されることにより、もみ玉６，７は回転する。
【００３５】
ポンプ１２とソレノイド１４は、協働してホース１５に流し込むエアを制御する。ソレノイド１４は、制御部１０から入力される電気信号に応じて開閉する弁を備えており、この弁を閉じることによってホース１５にエアを流し込むと共に、この弁を開くことによってホース１５へのエアの供給を停止する。ホース１５はエアバッグ８に接続されており、ホース１５にエアが供給されるとエアバッグ８は膨張し、ホース１５へのエアの供給が停止されるとエアバッグ８は収縮する。
【００３６】
以上のように構成される骨盤矯正器１では、使用者Ｍが操作パネル９で操作を行うことによって、もみ玉６，７及びエアバッグ８を動かすことが可能となっている。例えば、骨盤矯正器１は、もみ玉６だけ動かすモード、もみ玉７だけ動かすモード、エアバッグ８を膨張収縮させるモード、もみ玉６，７を動かすモード、もみ玉６，７及びエアバッグ８を動かすモード、など複数のモードを有しており、使用者Ｍは、これらのモードを操作パネル９の操作で選択可能となっている。
【００３７】
また、骨盤矯正器１では、図５に示されるような使用者Ｍの骨盤Ｂを動かすことが可能となっている。骨盤矯正器１は、前述した締め付け部材５とエアバッグ８によって使用者Ｍの腸骨Ｂ１を開閉させる機能を有する。腸骨Ｂ１は、左右方向Ｄ一対に設けられており、各腸骨Ｂ１は、仙腸関節Ｃを介して中央の仙骨Ｂ２に連結されている。このように連結された一対の腸骨Ｂ１は蝶のように開閉可能となっている。また、一対の腸骨Ｂ１の下部には、骨盤Ｂの下端を構成する一対の坐骨Ｂ３が存在する。
【００３８】
図２及び図６に示されるように、締め付け部材５は、使用者Ｍの腸骨Ｂ１に前から当接する左右一対の前側当接部５ｆを備えている。この前側当接部５ｆは、ベルト５ｂの後方に突出した部位を示しており、腸骨Ｂ１の前方に突出した部位に前から当接する。また、エアバッグ８は、使用者Ｍの背中Ｍ２に後側から当接する後側当接部として機能する。
【００３９】
エアバッグ８は、平面視において、２つの前側当接部５ｆの左右方向Ｄ中央位置に配置されている。すなわち、エアバッグ８は、平面視において、２つの前側当接部５ｆを結ぶ線分Ｓ１の垂直二等分線Ｓ２を含む箇所に配置されている。また、図１に示されるように、エアバッグ８は、高さ方向に一定の範囲を有するように配置されているが、エアバッグ８の上端の高さは、ベルト５ｂの上端の高さよりも高くなっている。
【００４０】
続いて、本実施形態に係る骨盤矯正器１の作用効果について説明する。
【００４１】
図５及び図６に示されるように、骨盤矯正器１では、使用者Ｍの腸骨Ｂ１に前側から左右一対の前側当接部５ｆが当接すると共に、使用者Ｍの背中Ｍ２にエアバッグ８が当接し、これらの当接によって、使用者Ｍの一対の腸骨Ｂ１と背中Ｍ２との相対位置が固定される。また、エアバッグ８は、前側当接部５ｆに対して近づく方向、すなわち前方に使用者Ｍの身体を押圧する。従って、前側当接部５ｆにより腸骨Ｂ１の位置が固定された状態で背中Ｍ２が前側に押されることとなる。このように、腸骨Ｂ１の位置が固定された状態で背中Ｍ２が前側に押圧されるので、この押圧動作によって一対の腸骨Ｂ１を開かせることができる。
【００４２】
よって、普段あまり開閉することがない一対の腸骨Ｂ１を積極的に開閉し、これに伴い仙腸関節Ｃを積極的に動かすことができる。従って、仙腸関節Ｃ周辺の筋肉の硬直を防止することができるので骨盤Ｂの歪みを回避することができる。更に、仙腸関節Ｃを積極的に動かすことにより骨盤Ｂの歪みを矯正することができるので、腰痛を緩和させることもできる。
【００４３】
また、骨盤矯正器１は、使用者Ｍの臀部Ｍ１が乗せられる座面２ｃを備え、使用者Ｍの臀部Ｍ１が座面２ｃに乗せられた状態で使用される。よって、使用者Ｍの臀部Ｍ１が座面２ｃの乗せられるので、使用者Ｍの坐骨Ｂ３の位置を安定させることができる。従って、坐骨Ｂ３を安定させた状態で背中Ｍ２の押圧を行うことができるので、一対の腸骨Ｂ１の開閉をより安定させた状態で行うことができ、仙腸関節Ｃをより効率よく動かすことができる。
【００４４】
また、臀部Ｍ１が座面２ｃに乗せられた状態で背中Ｍ２の押圧を行うことにより、身体の個人差を出にくくすることもできる。更に、使用者Ｍは、座面２ｃに臀部Ｍ１を乗せて座った状態で仙腸関節Ｃを動かすことができるので、リラックスした状態で骨盤Ｂの矯正を行うことができる。
【００４５】
また、エアバッグ８は、平面視において、一対の前側当接部５ｆ同士を結ぶ線分Ｓ１の垂直二等分線Ｓ２を含む位置に設けられている。よって、一対の前側当接部５ｆとエアバッグ８との位置関係が二等辺三角形状となり、エアバッグ８は当該二等辺三角形の頂点を含む位置に配置される。従って、左右方向Ｄにおける背中Ｍ２の中央位置、すなわち仙骨Ｂ２の中央位置を固定した状態で背中Ｍ２の押圧を行えるので、一対の腸骨Ｂ１の開閉をよりスムーズに行うことができる。ゆえに、仙腸関節Ｃをより効果的に動かせるので、腰痛の防止及び腰痛の緩和をより確実に行うことができる。
【００４６】
また、座面２ｃに対するエアバッグ８の上端の高さは、座面２ｃに対する前側当接部５ｆの上端の高さよりも高い。ところで、背中Ｍ２及び臀部Ｍ１では、下方に向かうほど筋肉及び贅肉が多くなり、上方に向かうほど背骨等の骨が突出している部分が多くなる。従って、上記のように、エアバッグ８の上端の高さを前側当接部５ｆの上端の高さよりも高くすることにより、骨が突出している部分に、より効果的な押圧を行うことができる。このように骨が突出している部分に押圧を行うことができるので、一対の腸骨Ｂ１の開閉をより効果的に行うことができ、腰痛の更なる予防及び腰痛の更なる緩和に寄与する。
【００４７】
また、一対の前側当接部５ｆを含むと共に、使用者Ｍの身体の前側部分に接触して左右方向Ｄに延びるベルト５ｂを備え、ベルト５ｂの身体に接触するクッション部５ｅは、柔軟性素材によって構成されており、エアバッグ８は、ベルト５ｂに対して前方に使用者Ｍの身体を押圧する。このように、左右方向Ｄに延びるベルト５ｂを備え、このベルト５ｂを身体の前側部分に接触させることにより、身体の前側部分にかかる圧力を分散させることができる。
【００４８】
従って、身体の前側部分で生じうる痛みをより確実に回避することができる。また、エアバッグ８が前方に使用者Ｍの身体を押圧することにより、押圧手段の数を一つとすることができるので、押圧手段にかかるコストアップの抑制に寄与する。更に、ベルト５ｂの身体に接触するクッション部５ｅが柔軟性素材によって構成されているので、身体の前側部分で生じうる痛みを一層確実に緩和することができる。更に、柔軟性素材が身体に接触することによって、ベルト５ｂで身体の前側部分を押さえたときに一層心地よいフィット感を使用者Ｍに与えることができる。
【００４９】
（第２実施形態）
次に、第２実施形態に係る骨盤矯正器について、図７（ａ）及び図７（ｂ）を参照しながら説明する。第１実施形態では、エアバッグ８が、前側当接部５ｆに対して前方に使用者Ｍの身体を押圧する例について説明したが、第２実施形態に係る骨盤矯正器では、前側当接部として機能する一対のエアバッグ２１が、後側当接部２２に対して後方に使用者Ｍの身体を押圧する。以降の説明では、第１実施形態と重複する説明を適宜省略する。
【００５０】
第２実施形態において、エアバッグ２１は、２個設けられており、各エアバッグ２１は使用者Ｍの腸骨Ｂ１のちょうど前側に位置する。エアバッグ２１は、第１実施形態のエアバッグ８と同様、エアの供給によって膨張し、エアの供給の停止によって収縮する。また、一対のエアバッグ２１は、締め付け部材５に設けられている。一方、後側当接部２２は、座部２の背もたれ面２ｄに設けられている。後側当接部２２は、背もたれ面２ｄにおける前方に突出した部位であり、使用者Ｍの背中Ｍ２に当接する。また、平面視におけるエアバッグ２１及び後側当接部２２の位置は、第１実施形態の前側当接部５ｆ及びエアバッグ８の位置と同様である。
【００５１】
以上、第２実施形態に係る骨盤矯正器では、使用者Ｍの腸骨Ｂ１に前側から左右一対のエアバッグ２１が当接すると共に、使用者Ｍの背中Ｍ２に後側当接部２２が当接し、これらの当接によって、使用者Ｍの一対の腸骨Ｂ１と背中Ｍ２との相対位置が固定される。また、エアバッグ２１は、後側当接部２２に対して近づく方向、すなわち後方に使用者Ｍの身体を押圧する。従って、後側当接部２２により背中Ｍ２の位置が固定された状態で腸骨Ｂ１が後側に押されることとなる。このように、背中Ｍ２の位置が固定された状態で腸骨Ｂ１が後側に押圧されるので、この押圧動作によって一対の腸骨Ｂ１を開かせることができる。従って、第１実施形態と同様の効果が得られる。
【００５２】
なお、第２実施形態では、エアバッグ２１が腸骨Ｂ１を後方に押圧する例について説明した。しかしながら、図７（ｂ）に示されるように、腸骨Ｂ１を押圧する方向Ｘは変更可能である。すなわち、腸骨Ｂ１を押圧する方向Ｘは、完全に後方でなくてもよく、例えば、エアバッグ２１から後方に伸びる直線Ｓ３と、エアバッグ２１と後側当接部２２とを結ぶ線分Ｓ４との間に延びる範囲で傾斜していてもよい。また、腸骨Ｂ１を押圧する方向Ｘは、直線Ｓ３に対して角度θだけ傾斜していてもよく、この角度θの値は、０°以上且つ４５°以下とすることが好ましい。しかしながら、角度θの値は、上記に限定されず、０°以上且つ９０°未満であればよい。
【００５３】
このように、第２実施形態において、腸骨Ｂ１を押圧する方向Ｘは傾斜していてもよい。また、第１実施形態において、背中Ｍ２を押圧する方向についても、完全に前方でなくてもよく、上記同様に傾斜させることが可能である。
【００５４】
（第３実施形態）
続いて、第３実施形態に係る骨盤矯正器について説明する。図８、図９（ａ）及び図９（ｂ）に示されるように、第３実施形態に係る骨盤矯正器３１は、肘掛部４、及び前側のもみ玉７を有しない点、並びに、後方への押圧を行うエアバッグ３５を備える点が第１実施形態と異なっている。また、骨盤矯正器３１は、第１実施形態のエアバッグ８を備えている。
【００５５】
骨盤矯正器３１は、使用者Ｍの位置を固定するベルト３４を備える。ベルト３４は、座部２の内面２ｂにおける左右方向Ｄの両側部分のそれぞれから伸び出している。ベルト３４の内面２ｂから伸び出した部分のそれぞれには、左右一対にエアバッグ３５及びエアバッグホルダ３６が設けられている。
【００５６】
各エアバッグ３５の位置は、第２実施形態のエアバッグ２１のそれぞれと同一であってもよく、使用者Ｍの腸骨Ｂ１のちょうど前側である。一対のエアバッグ３５は、後方に使用者Ｍの腸骨Ｂ１を押圧する。各エアバッグ３５は、扁平状とされたエアバッグホルダ３６に保持されている。エアバッグホルダ３６は左右方向Ｄ及び高さ方向に延びており、エアバッグ３５を後方を向かせた状態で保持している。すなわち、エアバッグホルダ３６は、エアバッグ３５が使用者Ｍに当接する側（腸骨Ｂ１に当たる側）を向くようにエアバッグ３５を保持している。
【００５７】
一対のエアバッグホルダ３６の間において、ベルト３４は、左右方向Ｄに延びると共に使用者Ｍの身体の前側部分を押さえる。左右方向Ｄに延びる一対のベルト３４それぞれの端部には、ベルト３４の端部同士を連結する連結手段としてバックル３７が設けられている。バックル３７によって、使用者Ｍの身体へのベルト３４の着脱が自在に行われる。
【００５８】
第３実施形態に係る骨盤矯正器３１では、一対のエアバッグ３５及びエアバッグ８が互いに近づく方向に使用者Ｍの身体を前後から同時に押圧する。具体的には、図１０に示されるように、一対のエアバッグ３５及びエアバッグ８の両方が互いに接近する方向に身体を押圧する。従って、エアバッグ８が背中Ｍ２を前側に押圧すると共にエアバッグ３５が腸骨Ｂ１を後側に押圧することとなる。
【００５９】
このように、腸骨Ｂ１の後側への押圧、及び、背中Ｍ２の前側への押圧の両方が行われるので、これらの押圧動作によって一対の腸骨Ｂ１を開かせることができる。従って、前述した第１実施形態及び第２実施形態と同様、腰痛を予防することができると共に、腰痛を緩和させることができる。また、前後一対にエアバッグ３５，８が設けられており、前後両側から一対のエアバッグ３５，８が、それぞれ腸骨Ｂ１及び背中Ｍ２を押圧する。従って、腸骨Ｂ１をより開きやすくすることができるので、腰痛の予防効果、及び腰痛の緩和効果を一層高めることができる。
【００６０】
また、骨盤矯正器３１は、第１実施形態の肘掛部４、及び前側のもみ玉７を有しないので、構成を簡易にすることができる。更に、各エアバッグ３５はベルト３４上に設けられており、各ベルト３４の端部に設けられたバックル３７によって、一対のベルト３４及びエアバッグ３５が着脱可能とされている。従って、前側に設けられる一対のベルト３４及びエアバッグ３５の着脱を容易に行うことができる。
【００６１】
なお、第３実施形態では、エアバッグ３５と、エアバッグ３５を保持するエアバッグホルダ３６がベルト３４に設けられ、ベルト３４を連結させるバックル３７を備えた骨盤矯正器３１について説明した。しかしながら、ベルト３４、エアバッグ３５及びエアバッグホルダ３６の構成は、前述した内容に限られず適宜変更可能である。また、バックル３７の構成も適宜変更可能であり、更に、バックル３７に代えて別の連結手段を備えていてもよい。
【００６２】
また、第３実施形態では、前側のエアバッグ３５及び後側のエアバッグ８が同時に押圧を行う例について説明したが、前側のエアバッグ３５による押圧のタイミングと、後側のエアバッグ８による押圧のタイミングは、適宜変更することが可能である。例えば、前側のエアバッグ３５による押圧、及び後側のエアバッグ８による押圧は、一定の時間差で交互に行われてもよい。また、先に後側のエアバッグ８を膨張させ、その状態を維持して前側のエアバッグ３５が押圧を行ってもよい。
【００６３】
また、エアバッグ３５，８の形状及び大きさは適宜変更可能である。例えば、後側のエアバッグ８は、上下に延びる縦長状とされていてもよい。この場合、エアバッグ８は、使用者Ｍの腰から尾てい骨までの範囲を押圧してもよい。また、後側のエアバッグ８は、前側のエアバッグ３５よりも下方に長く延びていてもよい。
【００６４】
また、エアバッグホルダ３６は、ベルト３４上で移動する可動式であってもよい。例えば、エアバッグホルダ３６は、ベルト３４を挿通させる孔部を備えていてもよく、当該孔部にベルト３４が挿通された状態でベルト３４に沿って移動可能とされていてもよい。このようにエアバッグホルダ３６が可動式である場合、使用者Ｍの骨盤幅に応じて、一対のエアバッグ３５間の距離を自在に変更することができる。
【００６５】
また、第３実施形態では、エアバッグの配置態様として、前側に一対のエアバッグ３５が設けられ、後側にエアバッグ８が設けられる例について説明したが、前側及び後側に位置するエアバッグの配置態様は適宜変更可能である。例えば、前側及び後側のエアバッグが複数の領域に分けられていてもよい。具体的には、後側のエアバッグは、背中Ｍ２の上側を押圧する領域、背中Ｍ２の中央を押圧する領域、及び背中Ｍ２の下側を押圧する領域を備えていてもよい。そして、後側のエアバッグは、背中Ｍ２の上側を押圧する領域、背中Ｍ２の中央を押圧する領域、及び背中Ｍ２の下側を押圧する領域、を順次膨張させてもよい。また、一対の前側のエアバッグのうち、一方と他方とで膨らみ方が異なっていてもよい。
【００６６】
また、前側のエアバッグ、及び後側のエアバッグの個数についても適宜変更可能である。例えば、前述したエアバッグ８，３５に代えて、複数のエアバッグが積層されると共に１箇所で互いに固定されており、エアの供給により、複数のエアバッグの固定されていない側が蛇腹状に膨張するものを備えていてもよい。更に、エアバッグによる押圧の態様も適宜変更可能である。例えば、エアバッグは、使用者Ｍの身体をピンポイントで押圧してもよいし、使用者Ｍの身体を一定領域に亘って押圧してもよい。
【００６７】
以上、本発明の実施形態について説明したが、本発明は、前述した実施形態に限られるものではなく、各請求項に記載した要旨を変更しない範囲で変形してもよい。すなわち、本発明は、特許請求の範囲に記載した要旨を変更しない範囲で種々の変形が可能である。
【００６８】
例えば、前述の実施形態では、エアバッグ８（後側当接部）が、高さ方向に一定の範囲を有するように配置されている例について説明したが、後側当接部は、仙骨Ｂ２の後側部分に当接するように配置されていてもよい。更に、前述の実施形態では、座面２ｃに対するエアバッグ８の上端の高さが、座面２ｃに対する前側当接部５ｆの上端の高さよりも高い例について説明した。しかしながら、座面２ｃに対する後側当接部の上端の高さは、座面２ｃに対する前側当接部５ｆの上端の高さより低くてもよい。
【００６９】
また、前述の実施形態では、内面２ｂに２本の紐状部材５ａが固定されることによって、ベルト５ｂが座部２に連結されている例について説明したが、このベルト５ｂに代えて、座部２から脱着自在となっているベルトを用いてもよい。また、前述の実施形態では、紐状部材５ａを通す孔と、孔を通った紐状部材５ａを止める係止部とを有する調整部５ｃについて説明したが、この調整部の構成についても適宜変更可能である。更に、ベルトでない前側当接部（例えば、左右一対に分離された２個の前側当接部）によって腸骨Ｂ１を当接させてもよい。このように、ベルト及び調整部を備える締め付け部材の形状、大きさ及び配置態様については適宜変更可能である。
【００７０】
また、前述の実施形態では、肘掛部４の上面に配置された操作パネル９について説明したが、操作パネルの配置位置及び形状については適宜変更可能である。操作パネルを座部２から脱着自在としてもよい。また、操作パネル９に代えて、例えばリモコン等、他の操作手段を用いることも可能である。
【００７１】
また、前述の実施形態では、２種類のもみ玉６，７が設けられる例について説明したが、もみ玉の種類、個数、大きさ及び配置位置は、適宜変更可能である。更に、もみ玉を省略することも可能である。更に、モータ１１、ポンプ１２、ギヤ１３、ソレノイド１４及びホース１５の構成についても、前述の実施形態に限定されず適宜変更可能である。
【００７２】
また、前述の実施形態では、背中Ｍ２を前方に押圧するエアバッグ８、及び腸骨Ｂ１を後方に押圧するエアバッグ２１、について説明したが、使用者Ｍの身体を押圧する押圧手段として、エアバッグ以外のものを用いることも可能である。但し、押圧手段としてエアバッグを用いた場合には、使用者Ｍに対する感触を良好にできるという利点がある。更に、エアバッグを用いた場合には、エアの供給及び供給停止をスムーズに行う、特にエアを一気に抜くことができるので、膨張及び収縮をスムーズに行うことができる。従って、使用者Ｍの身体の押圧及び押圧解除を効率よく行えるという利点がある。
【００７３】
また、前述の実施形態では、截頭円錐状に形成された脚部３について説明したが、この脚部の形状を適宜変更することも可能である。脚部３に代えて、例えば、放射状に延びる複数の棒状の脚部を用いてもよい。また、肘掛部４の形状及び個数も適宜変更可能であり、肘掛部を省略してもよい。
【００７４】
また、前述の実施形態では、座面２ｃを有する骨盤矯正器１について説明したが、座面２ｃを有しない骨盤矯正器とすることも可能である。例えば、座面２ｃを有する骨盤矯正器１に代えて、立っている使用者Ｍの背中Ｍ２から巻き付けるタイプの骨盤矯正器、又は横になっている使用者Ｍの背中Ｍ２が乗せられるタイプの骨盤矯正器、とすることも可能である。
【符号の説明】
【００７５】
１，３１…骨盤矯正器、２…座部、２ａ…外面、２ｂ…内面、２ｃ…座面、２ｄ…背もたれ面、３…脚部、３ａ…下面、４…肘掛部、４ａ…取っ手部、５…締め付け部材、５ａ…紐状部材、５ｂ…ベルト、５ｃ…調整部、５ｄ…硬質部、５ｅ…クッション部、５ｆ…前側当接部、６，７…もみ玉、６ａ，６ｂ，７ｂ…突起、６ｃ，７ａ…上面、８，２１，３５…エアバッグ、９…操作パネル、１０…制御部、１１…モータ、１２…ポンプ、１３…ギヤ、１４…ソレノイド、１５…ホース、２２…後側当接部、３４…ベルト、３６…エアバッグホルダ、３７…バックル、Ｂ…骨盤、Ｂ１…腸骨、Ｂ２…仙骨、Ｂ３…坐骨、Ｃ…仙腸関節、Ｄ…左右方向、Ｌ…軸線、Ｍ…使用者、Ｍ１…臀部、Ｍ２…背中、Ｓ１…線分、Ｓ２…垂直二等分線、Ｓ３…直線、Ｓ４…線分、Ｘ…方向、θ…角度。
【図１】
2017119101.tif 000003
【図２】
2017119101.tif 000004
【図３】
2017119101.tif 000005
【図４】
2017119101.tif 000006
【図５】
2017119101.tif 000007
【図６】
2017119101.tif 000008
【図７】
2017119101.tif 000009
【図８】
2017119101.tif 000010
【図９】
2017119101.tif 000011
【図１０】
2017119101.tif 000012